(57)【要約】      （修正有）【課題】太陽電池の発電効率を向上させるための太いバスバー電極と細いバスバー電極を有する太陽電池を提供する。【解決手段】電池本体、Ｍ本の第１のバスバー電極２０、Ｎ本の第２のバスバー電極２５及び複数のフィンガー電極３０を含む太陽電池１において、電池本体は、光エネルギーを電気エネルギーに変換し複数の電荷を生成し、且つ中心線１０ｃを有する。Ｍ本の第１のバスバー電極は、電池本体の正面に形成され、実質的に中心線に平行である。各Ｎ本の第２のバスバー電極は、電池本体の正面に形成され、第１のバスバー電極の隣接する２本の間に位置し、第２のバスバー電極の幅は、第１のバスバー電極の幅よりも小さい。フィンガー電極は、電池本体の正面に形成され、第１のバスバー電極及び第２のバスバー電極に電気的に接続される。フィンガー電極、第１のバスバー電極及び第２のバスバー電極は、電荷を収集して出力する。【選択図】図１
0003186623.tif 000002
【実用新案登録請求の範囲】
【請求項１】
太陽電池において、
電池本体、Ｍ本の第１のバスバー電極、Ｎ本の第２のバスバー電極及び複数のフィンガー電極を含み、
前記電池本体は、光エネルギーを電気エネルギーに変換して複数の電荷を生成し、且つ前記電池本体の中央に位置する中心線を有し、
前記Ｍ本の第１のバスバー電極は、前記電池本体の正面に形成され、前記中心線と平行になり、Ｍは２以上の正の整数であり、
前記Ｎ本の第２のバスバー電極は、前記電池本体の前記正面に形成され、各前記Ｎ本の第２のバスバー電極は、前記Ｍ本の第１のバスバー電極の隣接する２本の間に位置し、前記第２のバスバー電極の幅は、前記第１のバスバー電極の幅よりも小さく、且つ前記第２のバスバー電極の幅は、０．０５ｍｍよりも小さく、０．０２ｍｍ以上であり、Ｎは、１以上の正の整数であり、
前記複数のフィンガー電極は、前記電池本体の前記正面に形成され、前記Ｍ本の第１のバスバー電極及び前記Ｎ本の第２のバスバー電極に電気的に接続され、各前記フィンガー電極の幅は、０．０５ｍｍより小さく、且つ０．０２ｍｍ以上であり、
前記フィンガー電極、前記Ｍ本の第１のバスバー電極及び前記Ｎ本の第２のバスバー電極は、電荷を収集して出力することを特徴とする太陽電池。
【請求項２】
前記電池本体は、基板を含み、前記基板は、第１型半導体層と第２型半導体層を含み、
且つ、前記太陽電池は、更に、
前記基板の第１型半導体層に位置し、前記第１のバスバー電極と前記第２のバスバー電極及び前記フィンガー電極が貫通して第１型半導体層に電気的に接続する反射防止層と、
前記電池本体の裏面に形成され、前記第２型半導体層に電気的に接続される複数の裏面電極と、
前記電池本体の前記裏面に形成され、前記裏面電極が貫通して前記第２型半導体層に電気的に接続される裏面金属層と、を含み、
そのうち、前記裏面電極は、それぞれ前記第１のバスバー電極及び前記第２のバスバー電極に前記電池本体を介して背中合わせすることを特徴とする請求項１記載の太陽電池。
【請求項３】
前記電池本体の前記正面に形成され、前記第１のバスバー電極と前記第２のバスバー電極と前記フィンガー電極を囲み且つ電気的に接続する周辺電極を更に含むことを特徴とする請求項１記載の太陽電池。
【請求項４】
隣接する前記第１のバスバー電極の間に１本の第２のバスバー電極が配置されることを特徴とする請求項１記載の太陽電池。
【請求項５】
隣接する前記第１のバスバー電極の間に複数の第２のバスバー電極が配置され、前記第２のバスバー電極は相互に平行されることを特徴とする請求項１記載の太陽電池。
【請求項６】
隣接する前記第１のバスバー電極の間に複数の第２のバスバー電極が配置され、前記第２のバスバー電極は相互に交錯することを特徴とする請求項１記載の太陽電池。
【請求項７】
隣接する前記第１のバスバー電極の間に複数の第２のバスバー電極が配置され、前記第２のバスバー電極は相互に交錯し、且つ前記第１のバスバー電極に直接接続されることを特徴とする請求項１記載の太陽電池。
【請求項８】
前記第２のバスバー電極のパターンは虚線であり、前記虚線の各線分により隣接するこれらの前記フィンガー電極が互いに接続されることを特徴とする請求項１記載の太陽電池。
【請求項９】
各前記第２のバスバー電極のパターンは虚線であり、前記虚線の各線分により隣接するこれらの前記フィンガー電極が互いに接続され、且つ前記第２のバスバー電極の前記線分は相互にずれていることを特徴とする請求項１記載の太陽電池。
【請求項１０】
一部の隣接する前記フィンガー電極の間に前記第２のバスバー電極の前記虚線の前記線分が存在しないことを特徴とする請求項９記載の太陽電池。
【請求項１１】
前記Ｍ本の第１のバスバー電極のうちの１本は、前記Ｎ本の第２のバスバー電極のうちの隣接する２本の間に位置することを特徴とする請求項１記載の太陽電池。
【請求項１２】
前記Ｎ本の第２のバスバー電極のうちの１本は、前記Ｍ本の第１のバスバー電極に平行しないことを特徴とする請求項１記載の太陽電池。
【請求項１３】
前記Ｎ本の第２のバスバー電極のうちの１本は、複数の不連続のＸパターンを含み、前記Ｘパターンは、二つの交差する線分を含み、前記二つの交差する線分の４つの端点は、それぞれ前記フィンガー電極の４つの端点に接続されることを特徴とする請求項１記載の太陽電池。
【請求項１４】
前記Ｎ本の第２のバスバー電極のうちの１本は、不連続の二つのＹパターンを含み、前記二つのＹパターンは、二つのＹパターンがともに接続し且つ４つの端点を有し、前記４つの端点はそれぞれ、前記フィンガー電極の４つの端点に接続されることを特徴とする請求項１記載の太陽電池。
【考案の詳細な説明】
【技術分野】
【０００１】
本考案は太陽電池に関し、特に、太いバスバー電極と細いバスバー電極を有する太陽電池に関する。
【背景技術】
【０００２】
太陽電池はエネルギーを変換する光電素子であり、太陽光を照射した後、光エネルギーを電気エネルギーに変換し、この種の光電素子を太陽電池(Solar Cell)と称する。物理学の観点から、太陽光発電(Photovoltaic、略称PV)電池とも呼ばれる。
【０００３】
従来の太陽電池の製造方法は、先ず、シリコン基板を提供し、その後、シリコン基板上で化学気相成長（例えばＰＥＣＶＤ）が行われて反射防止層を形成する。そして、パターンスクリーン印刷及び焼成（co-firing）を行うことで電極を反射防止層上に形成し、かつ電極が反射防止層を貫通してシリコン基板に電気的に接続する。
【０００４】
スクリーン印刷を行う際、使用する導電性ペーストは、銀ペーストとアルミニウムペーストに分けられ、銀ペーストは主に、電池の電極として用いられ、表裏両面のいずれも使用され、そして、アルミニウムペーストは、裏面に銀電極をシリコン基板にプリントした後、更にシリコン基板にプリントされ、焼成後、裏面電場として電池の効率を向上させる。銀ペーストのコストは、アルミニウムペーストよりも高い。
【０００５】
太陽電池は、遮光の面積が小さければ小さいほど、発電効率が高まる。しかし、従来のスクリーン印刷技術（スクリーンプリンター、網版及びペーストの制限を含む）の制限を受け、従来の太陽電池のフィンガー電極の幅はいずれも０．０５ｍｍ以上にすることで、断線又は暗いフィンガーライン(broken or dark fingerlines)を避けるようにしており、エレクトロルミネッセンス画像及び発電の損失からこの点が知られている。このように、電荷収集、遮光面積の削減、断線又は暗いフィンガーライン(broken or dark fingerlines)を避けることを達成するために、従来において電極の幅及びピッチを調整するしかなかった。例えば、２本又は３本のバスバー電極を使用し、これら、バスバー電極の間のフィンガー電極上の各点において、バスバー電極の全長は依然として非常に長く、且つ断線又は暗いフィンガーラインが存在する時、全長は更に長くなり、太陽電池の効率の向上に不利となる。
【考案の概要】
【考案が解決しようとする課題】
【０００６】
本考案の目的は、太陽電池の発電効率を向上させるための太いバスバー電極と細いバスバー電極を有する太陽電池を提供することである。
【課題を解決するための手段】
【０００７】
上記目的を達成するため、本考案は、電池本体、Ｍ本の第１のバスバー電極、Ｎ本の第２のバスバー電極及び複数のフィンガー電極を含む太陽電池を提供する。電池本体は、光エネルギーを電気エネルギーに変換し複数の電荷を生成し、且つ電池本体の中央に位置する中心線を有する。Ｍ本の第１のバスバー電極は、電池本体の正面に形成され、実質的に中心線に平行し、Ｍは２以上の正の整数である。Ｎ本の第２のバスバー電極は、電池本体の正面に形成され、各第２のバスバー電極はＭ本の第１のバスバー電極の隣接する２本の間に位置し、第２のバスバー電極の幅は、第１のバスバー電極の幅よりも小さく、且つ第２のバスバー電極の幅は、０．０５ｍｍよりも小さく、０．０２ｍｍ以上であり、Ｎは、１以上の正の整数である。複数のフィンガー電極は電池本体の正面に形成され、第１のバスバー電極及び第２のバスバー電極に電気的に接続される。フィンガー電極の幅は、０．０５ｍｍより小さく、且つ０．０２ｍｍ以上である。フィンガー電極、第１のバスバー電極及び第２のバスバー電極は、電荷を収集して出力する。
【０００８】
本考案の上記実施形態により、電極の遮蔽面積を削減し、太陽電池の電荷及び電流を向上し、且つ、不良電極による悪影響を低下させ、太陽電池の発電効率を向上させることができる。
【図面の簡単な説明】
【０００９】
【図１】図１は、本考案の実施例に基づく太陽電池の平面図である。
【図２】図２は、本考案の実施例に基づく太陽電池の底面図である。
【図３Ａ】図３Ａは、図１の線３Ａ−３Ａに沿った断面図である。
【図３Ｂ】図３Ｂは、図１の線３Ｂ‐３Ｂに沿った断面図である。
【図４Ａ】図４Aは、本考案の実施例に基づく太陽電池の他の実施例の平面図である。
【図４Ｂ】図４Bは、本考案の実施例に基づく太陽電池の他の実施例の平面図である。
【図４Ｃ】図４Cは、本考案の実施例に基づく太陽電池の他の実施例の平面図である。
【図４Ｄ】図４Dは、本考案の実施例に基づく太陽電池の他の実施例の平面図である。
【図４Ｅ】図４Eは、本考案の実施例に基づく太陽電池の他の実施例の平面図である。
【図４Ｆ】図４Fは、本考案の実施例に基づく太陽電池の他の実施例の平面図である。
【図４Ｇ】図４Gは、本考案の実施例に基づく太陽電池の他の実施例の平面図である。
【図４Ｈ】図４Hは、本考案の実施例に基づく太陽電池の他の実施例の平面図である。
【図４Ｉ】図４Iは、本考案の実施例に基づく太陽電池の他の実施例の平面図である。
【図４Ｊ】図４Ｊは、本考案の実施例に基づく太陽電池の他の実施例の平面図である。
【図５】図５は、本考案に基づく太陽電池モジュールの一部が接続した状態の概略図である。
【考案を実施するための形態】
【００１０】
図１は、本考案の実施例に基づく太陽電池１の平面図である。図２は、本考案の実施例に基づく太陽電池１の底面図である。図３Ａ及び図３Ｂは、それぞれ、図１の線３Ａ−３Ａ及び３Ｂ−３Ｂに沿った断面図である。図１から図３Ｂに示すように、本実施例の太陽電池１は、電池本体１０、Ｍ本の第１のバスバー電極２０(例えば、２０Ｌ、２０Ｍ、２０Ｒ)、Ｎ本の第２のバスバー電極２５（例えば、２５Ｌ、２５Ｒ）及び複数のフィンガー電極３０を含む。太陽電池は、単結晶、多結晶又は薄膜型太陽電池であってもよい。
＜実施例＞  
【００１１】
電池本体１０は、光エネルギーを電気エネルギーに変換し複数の電荷を生成し、又、電池本体１０の中央に位置する中心線１０Ｃを含む。実施例において、中心線１０Ｃは、電池本体１０を二つに分ける対称線であってもよく、１本の仮想の線であり、非実体のカット線である。本実施例において、電池本体１０は、基板１１を含み、基板１１は第１型半導体層１１Ａと第２型半導体層１１Ｂを含む。例えば、Ｐ(又はＮ)型シリコン基板（第２型半導体層とする）を利用して、ドーピングにより上面にＮ(又はＰ)型半導体層（Ｎ（又はＰ）型半導体層とする）を形成してもよい。又は、様々な蒸着技術により、一層ごとにＰ型又はＮ型材料を成長させていくこともできる。更に、太陽電池１は、更に、基板１１の第１型半導体層１１Ａ上に位置する反射防止層１２を含み、これら第１のバスバー電極２０と第２のバスバー電極２５及びこれらフィンガー電極３０が反射防止層１２を貫通して第１型半導体層１１Ａに電気的に接続する。反射防止層１２は反射を防止する効果を有し、反射防止層１２に入射する光を反射させず、光線の使用率を向上させる。
【００１２】
Ｍ本の第１のバスバー電極２０Ｌ、２０Ｍ、２０Ｒは、電池本体１０の正面１０Ａに形成され、実質的に中心線１０Ｃに平行し、Ｍは２以上の正の整数である。本実施例において、Ｍは３である。
【００１３】
Ｎ本の第２のバスバー電極２５Ｌ、２５Ｒは、電池本体１０の正面１０Ａに形成され、各Ｎ本の第２バスバー電極２５Ｌ、２５Ｒは、Ｍ本の第１のバスバー電極２０Ｌ、２０Ｍ、２０Ｒの隣接する２本の間に位置する。第２のバスバー電極２５Ｌ、２５Ｒの幅は、第１のバスバー電極２０Ｌ、２０Ｍ、２０Ｒの幅より小さい。よって、太陽電池１は、太さが異なるバスバー電極２０と２５を有する。この他、第２のバスバー電極２５Ｌ、２５Ｒの幅は、０．０５ｍｍより小さく且つ０．０２ｍｍ以上であり、０．０５ｍｍより小さく且つ０．０３ｍｍ以上が好ましく、Ｎは１以上の正の整数である。本実施例において、Ｎは２である。又、隣接するこれら第１のバスバー電極２０の間に、１本の第２のバスバー電極２５が配置される。
【００１４】
複数のフィンガー電極３０は、電池本体１０の正面１０Ａに形成され、Ｍ本の第１のバスバー電極２０Ｌ、２０Ｍ、２０Ｒ及びＮ本の第２のバスバー電極２５Ｌ、２５Ｒに電気的に接続される。複数のフィンガー電極、Ｍ本の第１のバスバー電極２０Ｌ、２０Ｍ、２０Ｒ及びＮ本の第２のバスバー電極２５Ｌ、２５Ｒは、複数の電荷を取集し出力する。フィンガー電極３０の幅は０．０５ｍｍより小さく、０．０２ｍｍ以上である。よって、フィンガー電極３０と第２のバスバー電極２５の幅は同一に設計されることができる。フィンガー電極３０は、電池本体１０の正面１０Ａに形成され、３本の第１のバスバー電極２０に電気的に接続される。フィンガー電極３０と第１のバスバー電極２０との間の夾角は９０度である。当然、視覚的効果又はその他の効果を向上させるために９０度に設計しなくてもよい。複数のフィンガー電極３０、３本の第１のバスバー電極２０及び２本の第２バスバー電極２５は複数の電荷を収集して出力する。本実施例において、第１のバスバー電極２０はメインバスバー電極と称することもでき、第２のバスバー電極２５は、補助バスバー電極と称することもできる。
【００１５】
太陽電池１は、更に、３本の裏面電極４０及び裏面金属層５０を含んでもよい。裏面電極４０は、電池本体１０の裏面１０Ｂに形成され、第２型半導体層１１Ｂに電気的に接続される。裏面金属層５０は、電池本体１０の裏面１０Ｂに形成され、これら裏面電極４０は、裏面金属層５０を貫通して、第２型半導体層１１Ｂに電気的に接続される。これら裏面電極４０は、それぞれこれら第１のバスバー電極２０と第２のバスバー電極２５に電池本体１０を介して背中合わせする。このような配置のメリットは、複数の太陽電池を直列又は並列に接続する際に、一枚の太陽電池の正面の第１のバスバー電極をもう一枚の太陽電池の裏面の裏面電極に合わせることができる。
【００１６】
太陽電池１は、更に、電池本体１０の正面１０Ａに形成され、これら第１のバスバー電極２０と第２のバスバー電極２５とこれらフィンガー電極３０とを囲み且つ電気的に接続される周辺電極６０を有することができ、電荷の収集及び伝送に有利である。本実施例において、図１に示すように、周辺電極６０は電池本体１０の周辺にほぼ平行され、これによって、一部の周辺電極６０は第１のバスバー電極２０と第２のバスバー電極２５に平行され、他の一部の周辺電極６０は第１のバスバー電極２０と第２のバスバー電極２５に垂直するようになる。
【００１７】
特に、図１の線３Ｂ−３Ｂは第１のバスバー電極２０と第２のバスバー電極２５及び周辺電極６０を切断しているが、フィンガー電極３０を切断していない。そして、図１の線３Ａ−３Ａは第１のバスバー電極２０、第２のバスバー電極２５、周辺電極６０及びフィンガー電極３０を切断している。よって、図示のように、図３Ａと図３Ｂはわずかに異なる。
【００１８】
以下において、図面を参照にして、太陽電池のその他の変化の方法を説明する。図４Ａ〜図４Ｈは、本考案の実施例に基づく太陽電池のその他の実施例の平面図である。
【００１９】
図４Ａに示すように、本実施例は図１の実施例に類似する。異なる箇所は、本実施例の隣接する第１のバスバー電極２０の間に複数の第２バスバー電極２５、例えば、２本の第２のバスバー電極２５Ｌと２本の第２のバスバー電極２５Ｒを配置したことである。これら第２のバスバー電極２５は相互に平行する。このような配置のメリットは、フィンガー電極３０上の電荷を第１のバスバー電極２０及び第２のバスバー電極２５へ伝送するルートを多様化させることであり、製造工程におけるフィンガー電極３０が断線することによる悪影響を減少させることができる。
【００２０】
図４Ｂに示すように、本実施例は、図１の実施例に類似する。異なる箇所は、本実施例において、隣接するこれら第１のバスバー電極２０の間に、複数の第２のバスバー電極２５を配置し、且つこれら第２のバスバー電極２５は、例えば、２本の交錯する第２のバスバー電極２５Ｌ及び交錯する２本の第２バスバー電極２５Ｒのように、相互に交錯する。このように配置するメリットは、フィンガー電極３０上の電荷を第１のバスバー電極２０及び第２のバスバー電極２５へ伝送するルートを多様化させることであり、製造工程におけるフィンガー電極３０が断線することによる悪影響を減少することができる。
【００２１】
図４Ｃに示すように、本実施例は、図１の実施例に類似する。異なる箇所は、本実施例において、２本の第１のバスバー電極２０、例えば、２０Ｌと２０Ｒのみを有するものの、２本の第２のバスバー電極２５、例えば、２５Ｌと２５Ｒを有する。このような配置のメリットは、第２のバスバー電極２５により第１のバスバー電極２０の不足を補償し、２本のメインバスバー電極２０の配置による発電効率を達成することができる。
【００２２】
図４Ｄに示すように、本実施例は、図１の実施例に類似する。異なる箇所は、本実施例において、隣接するこれら第１のバスバー電極２０の間に複数の第２のバスバー電極２５を配置することである。これら第２のバスバー電極２５は相互に交錯し、且つこれら第１のバスバー電極２０に直接接続される。このような配置のメリットは、第２のバスバー電極２５を利用して第１のバスバー電極２０を全体的に接続し、電荷の伝送ルートを多様化させ、不良なフィンガー電極３０の影響を削減することができる。
【００２３】
図４Ｅに示すように、本実施例は、図４Ｃの実施例に類似する。異なる箇所は、本実施例の第２のバスバー電極２５は相互に交錯していることである。これにより図４Ｂの実施例に類似する効果が達成できる。
【００２４】
図４Ｆに示すように、本実施例は、図４Ｃの実施例に類似する。異なる箇所は、本実施例の第２バスバー電極２５は相互に平行するが、第１のバスバー電極２０に平行しない。これにより設計者は多様に選択できる。
【００２５】
図４Ｇに示すように、本実施例は、図４Ａの実施例に類似する。異なる箇所は、第２のバスバー電極２５Ｌ１/２５Ｌ２/２５Ｒ１/２５Ｒ２の図面が虚線であることである。第２のバスバー電極２５Ｌ１/２５Ｌ２の虚線にとって、虚線の各線分２５Ｌ１Ｄ/２５Ｌ２Ｄが隣接するこれらフィンガー電極３０の間に接続する。更に、これら第２のバスバー電極２５のこれら線分２５Ｌ１Ｄと２５Ｌ２Ｄは相互にずれている。つまり第１のバスバー電極２０Ｌと２０Ｍとの間であり、隣接する２本のフィンガー電極３０の間に一つの線分２５Ｌ１Ｄ/２５Ｌ２Ｄだけが接続される。
【００２６】
図４Ｈに示すように、本実施例は、図４Ｇの実施例に類似し、異なる箇所は、左半分の第２のバスバー電極２５Ｌ１と２５Ｌ２のピッチが小さく、のこぎり状の線状構造を形成していることである。更に、右半分の第２のバスバー電極２５Ｒ１と２５Ｒ２の接続方法も変化しており、つまり、一部の隣接するこれらフィンガー電極３０の間に、第２のバスバー電極２５の虚線の線分が存在しない。これにより、隣接するフィンガー電極３０の接続媒介が、順に（２５Ｒ１Ｄ）--＞（無し）--＞（２５Ｒ２Ｄ）となり、これにより、電極の遮蔽効果を削減して、電荷の伝送効果に大幅な影響を与えない。
【００２７】
以上の第２のバスバー電極２５の各パターンの配置は単に説明のために実施例を挙げたに過ぎず、本考案の範囲を制限するものではない。これら第２のバスバー電極２５の幅は全て同一であってもよく、又、当然、相互に異なる、又は一部が異なってもよい。これら第２のバスバー電極２５は、相互に平行、又は、第１のバスバー電極２０に平行、又は、相互に平行しない、又は第１のバスバー電極２０に平行しなくてもよい。これら第２のバスバー電極２５の間隔は同一又は同一でなくてもよい。これら第２のバスバー電極２５のパターンは、直線、円弧またはその他の曲線であってもよい。バスバー電極２０又は２５は、中心線１０Ｃに対して対称を呈する又は対称を呈さなくてもよい。以上の様々な変化は従来技術に比較して、いずれも遮光面積を減少できるため、電流及び発電効率を向上させることができる。これら第２のバスバー電極２５の製造は、一回の印刷又は複数回の印刷により、高いアスペクト比(aspect ratio)及び低抵抗の狭いフィンガー電極を生成することができる。
【００２８】
図４Ｉに示すように、本実施例は、図１の実施例に類似する。異なる箇所は本実施例の第２のバスバー電極２５Ｒは虚線であり且つ第１のバスバー電極２０Ｌ、２０Ｍ、２０Ｒに平行ではないことである。更に、第１のバスバー電極２０Ｌ、２０Ｒの外側にそれぞれ追加の第２のバスバー電極２５Ｒ１、２５Ｌ１を有する。即ち、第１のバスバー電極２０Ｒは、隣接する第２のバスバー電極２５Ｒと２５Ｒ１の間に位置し、第１のバスバー電極２０Ｌは隣接する第２のバスバー電極２５Ｌと２５Ｌ１の間に位置する。このように、いずれも本考案の効果が達成できる。
【００２９】
図４Ｊに示すように、本実施例は、図１の実施例に類似する。異なる箇所は、本実施例の第２のバスバー電極２５Ｒ/２５Ｌが複数の連続しないＸパターン２５Ｘを含むことであり、Ｘパターンは二つの交差する線分を含む。二つの交差する線分の四つの端点２５Ｘ４は、それぞれこれらフィンガー電極３０の４つの端点に接続される。図４Ｊの上半分の第２のバスバー電極２５Ｌと２５ＲのＸパターン２５Ｘは、いずれも２本のフィンガー電極３０に接続される。つまり、重なる状態になっている。図４Ｊの下半分の第２のバスバー電極２５Ｌと２５ＲのＸパターン２５Ｘは、２本のフィンガー電極３０に接続されない。つまり、交錯状態になっている。更に、第２のバスバー電極２５Ｌ/２５Ｒは、不連続の二つのＹパターン２５ＹＹを含む。二つのＹパターン２５ＹＹは、ともに接続され且つ４つの端点２５Ｙ４を有する二つのＹパターンを含む。４つの端点２５Ｙ４は、それぞれこれらフィンガー電極３０の４つの端点に接続される。同様に、二つのＹパターン２５ＹＹは重なった状態又は交錯状態の配列でもよい。特に、図４Ｊは、単に、第２のバスバー電極２５Ｌ/２５Ｒの可能な配置を例に挙げて説明したに過ぎず、このような配置に制限されるものではない。例えば、太陽電池１の全体において全てＸパターン２５Ｘの配置を採用してもよいし、全て二つのＹパターン２５ＹＹの配置を採用してもよく、必要に応じて調整でき制限されない。実施例において、Ｘパターン２５Ｘと二つのＹパターン２５ＹＹの水平における長さ（２ｇ）はフィンガー電極３０の間隔ｇ（又はピッチｇ）の２倍である。
【００３０】
本考案者はデュポン社(Du Pont)のＰＶ１７ＦとＰＶ１８Ｘシリーズ及びＨｅｒａｅｕｓ ９６００が本考案の概念に必要な電極ペーストを提供できることが分かった。第２のバスバー電極を設けることで、一旦断線又は暗いフィンガー電極３０が形成された場合、バイパスルートを提供することにより付近の第１のバスバー電極に接続することができる。これにより電荷の収集効率を提供して電流及び発電効率を向上させることができる。
【００３１】
図５は、本考案に基づく太陽電池モジュール１００の一部が接続した状態を示す図である。図５に示すように、本考案は、複数の上述したような太陽電池１及び複数の導電帯（Ｒｉｂｂｏｎ）７０を含む太陽電池モジュール１００を提供する。導電帯７０の数量は、溶接するバスバー電極２０の数量又は裏面電極４０の数量により決定される。これら導電帯７０は、これら太陽電池１のうちの一枚のバスバー電極２０をそれぞれ太陽電池１のうちの別の一枚の裏面電極４０に接続させる。これら導電帯７０はそれぞれ、バスバー電極２０及び裏面電極４０に溶接される。第２のバスバー電極２５については、導電帯７０に溶接しなくてもよいが、必要に応じて導電帯７０に溶接することもできる。
【産業上の利用可能性】
【００３２】
本考案の上記実施例により、別の電極の配置方法を提供することができ、電極の遮蔽面積を削減することができ、太陽電池の電荷及び電流を向上させ、又、不良な電極構成による悪影響を低下させることにより、太陽エネルギーの発電効率を向上させることができる。
【符号の説明】
【００３３】
ｇ：ピッチ
１：太陽電池
３Ａ-３Ａ、３Ｂ-３Ｂ：線
１０：電池本体
１０Ａ：正面
１０Ｂ：裏面
１０Ｃ：中心線
１１：基板
１１Ａ：第１型半導体層
１１Ｂ：第２型半導体層
１２：反射防止層
２０、２０Ｌ、２０Ｍ、２０Ｒ：第１のバスバー電極
２５、２５Ｌ、２５Ｒ、２５Ｌ１、２５Ｌ２、２５Ｒ１、２５Ｒ２：第２のバスバー電極
２５Ｌ１Ｄ、２５Ｌ２Ｄ：線分
２５Ｘ：Ｘパターン
２５Ｘ４：端点
２５Ｙ：Ｙパターン
２５ＹＹ：二つのＹパターン
２５Ｙ４：端点
３０：フィンガー電極
４０：裏面電極
５０：裏面金属層
６０：周辺電極
７０：導電帯
１００：太陽電池モジュール
【図１】
0003186623.tif 000003
【図２】
0003186623.tif 000004
【図３Ａ】
0003186623.tif 000005
【図３Ｂ】
0003186623.tif 000006
【図４Ａ】
0003186623.tif 000007
【図４Ｂ】
0003186623.tif 000008
【図４Ｃ】
0003186623.tif 000009
【図４Ｄ】
0003186623.tif 000010
【図４Ｅ】
0003186623.tif 000011
【図４Ｆ】
0003186623.tif 000012
【図４Ｇ】
0003186623.tif 000013
【図４Ｈ】
0003186623.tif 000014
【図４Ｉ】
0003186623.tif 000015
【図４Ｊ】
0003186623.tif 000016
【図５】
0003186623.tif 000017